(57)【要約】  【課題】  従来の垣網を比較的簡単な改良によってエチゼンクラゲ等の巨大クラゲの入網を排除し、魚を有効に捕獲すると共に潮流の流れ方向が変化しても有効に機能する定置網の垣網を提供すること。  【構成】  潮流が流れている漁場に設置する定置網において、垣網に沿って端口方向に向かって移動する巨大クラゲが潮流の上流側から下流側に移動する開口を該垣網に設け、上流側から下流側向かう潮流の流速が所定値未満の場合は開口を閉じ、流速が所定値以上の場合に開口を開いて巨大クラゲを下流側に移動可能な開通路を形成するように閉じ網を設けたことを特徴とする。【選択図】    図１
2011115057.tif 000002
【特許請求の範囲】
【請求項１】
潮流が流れている漁場に設置する定置網の垣網において、該垣網に沿って囲網の端口方向に向かって移動する巨大クラゲが該垣網の上流側から下流側に移動する開口を該垣網に設け、前記潮流の流速が所定値未満の場合は該開口を閉じ、該潮流の流速が所定値以上の場合に該開口を開いて巨大クラゲが上流側から下流側に移動可能な開通路を形成するように閉じ網を設けたことを特徴とする定置網の垣網。
【請求項２】
前記閉じ網は前記垣網の網部の該潮流に対する摩擦抵抗よりも大きな摩擦抵抗を生じる網部材で構成し、該潮流の流れによる該垣網の偏位よりも大きな偏位を生じ、該閉じ網と該垣網との間に前記開通路を形成するように構成したことを特徴とする請求項１に記載の定置網の垣網。
【請求項３】
前記閉じ網は該垣網の目合よりも小さな目合の網で構成したことを特徴とする請求項２に記載の定置網の垣網。
【請求項４】
前記閉じ網は該垣網の網糸の摩擦係数よりも大きな摩擦係数の網糸で構成したことを特徴とする請求項２又は請求項３の何れか１に記載の定置網の垣網。
【請求項５】
前記閉じ網は該垣網の網糸の太さよりも太い網糸で構成したことを特徴とする請求項２〜請求項４の何れか１に記載の定置網の垣網。
【請求項６】
前記閉じ網の岸側縁部は前記垣網の岸側開口縁部に接続し、該閉じ網の上縁部を前記垣網の開口上縁部又は浮子綱に接続し、該閉じ網の沖側縁部は自由とし、該閉じ網の下縁部は沈子を設けて該潮流の速さが前記所定値未満の場合は前記開口を閉じ、該潮流の速さが前記所定値以上の場合は前記開通路を形成ようにしたことを特徴とする請求項１〜請求項５の何れか１に記載の定置網の垣網。
【請求項７】
前記閉じ網の沖側縁部を前記垣網の開口沖側縁部と重複するように構成したことを特徴とする請求項１〜請求項６の何れか１に記載の定置網の垣網。
【請求項８】
前記開通路の３次元形状を整形するための接続代を前記閉じ網の岸側縁部と前記垣網の岸側開口縁部の間に設けたことを特徴とする請求項１〜請求項７の何れか１に記載の定置網の垣網。
【請求項９】
前記閉じ網と前記垣網との間に前記開通路の大きさを制限する制限手段を設けたことを特徴とする請求項１〜請求項８の何れか１に記載の定置網の垣網。
【発明の詳細な説明】
【技術分野】
【０００１】
この発明は、エチゼンクラゲ等の巨大クラゲが囲網の端口から進入するのを防止した定置網の垣網に関するものである。
【背景技術】
【０００２】
定置網の垣網は漁場に回遊してきた魚を定置網に誘導するために沿岸から沖に向かって張られる建網である。日本海沿岸には黒潮暖流の支流である対馬暖流が流れている。黒潮暖流に乗ってきたいろいろな種類の魚、例えば、鰯、鰺、鯖、鰹、鮪、ブリや鮭等が日本海沿岸に回遊してくる（非特許文献２）。このために日本海沿岸には好漁場が沢山あり、定置網が盛んであった。しかし、近年中国や韓国の沿岸でエチゼンクラゲが大量発生し、成長しながら暖流に乗って日本海を北上し、日本海沿岸の定置網業に大きな被害を与えて、大問題になっている（非特許文献１）。
【非特許文献１】島根県水産試験場ＨＰ、エチゼンクラゲについて
【非特許文献２】安田徹編、海のＵＨＯクラゲ、１１６−１２０頁、恒星社厚生閣
【０００３】
このために近年エチゼンクラゲ等の巨大クラゲの被害を軽減した定置網の垣網の研究、開発が行われてきた。巨大クラゲによる被害としては巨大クラゲが定置網の身網内に侵入し、漁獲した魚を傷めるという被害と漁獲作業を困難にする（例えば、身網内から巨大クラゲを排出する作業が増える）という被害がある。また、その他に定置網の垣網が破壊する等の垣網自体の受ける被害もある。本願は前者の被害を減少させる技術に関する。更に、巨大クラゲが身網内に侵入する態様としては垣網に誘導された巨大クラゲが囲網の端口から侵入するケースが大半であり、囲網や身網の底部から潜って侵入する場合及び囲網等の上縁を超えて侵入するケースもある。前者のケースと後者のケースは別々に対策を考える必要がある。現在起こっている被害の大部分は前者のケースである。本願発明は前者のケース、即ち、垣網に誘導された巨大クラゲが囲網の端口から侵入するケースを対象とする。
【０００４】
前者のケースを対象とした従来技術（以下、従来技術１という。）として、非特許文献３に開示されているものがある。図１１は従来技術１の説明図である。図１１（Ａ）は構成を示し、図１１（Ｂ）、（Ｃ）は機能作用を示す。図１１において、垣網６０は上半の垣網部６１と下半の捨て網部６２から構成されている。垣網部６１は目合（網目の大きさ）が４５ｃｍで、縦長さが４１ｍであり、捨て網部６２は目合が１５０ｃｍで、縦長さが１４ｍである。垣網部６１の上縁には図示省略の浮き子を取り付けるためのロープが設けられ、捨て網部６２の下縁には沈子を取り付けるロープが設けられている。図（Ｂ）は潮流が弱く「吹かれ」が生じない場合で、捨て網部６２は海底に着いた状態となる。この状態では魚は垣網部６１によって沖方向（端口方向）に誘導されるが、巨大クラゲは垣網６０を通過できない。図（Ｃ）は潮流が強くなった状態を示し、「吹かれ」によって捨て網部６２が浮き上がり、巨大クラゲは捨て網部６２から通過可能となる。この垣網６０を使用した実験例では、平均で２割強程度の巨大クラゲが囲網内に入網したと報告されている。
【非特許文献３】漁具改良マニュアル（大型クラゲ対策のために）第３版、第３部定置網、独立行政法人水産総合研究センター監修、平成１８年３月
【０００５】
しかし、従来技術１では垣網の底部に大目網を設けて巨大クラゲを逃がしているが、大目網の網目サイズ（目合）を大きくすると巨大クラゲだけでなく、魚も逃げてしまうという問題があり、逆に目合を小さくすると巨大クラゲが通過できないという問題がある。また、巨大クラゲの大きさは海域により、或いは季節により変化するために適切な目合の大きさを一義的に決定できないという問題がある。更に、２割もの多くの巨大クラゲが囲網内に入網すれば、その効果も疑問である。
【０００６】
更に別の技術として特許文献１に開示されているもの（以下、従来技術２という。）がある。図１２はこの技術を説明するための図である。この従来技術２は岸から沖に向かって敷設される垣網５１の途中に巨大クラゲが潮流の上流側から下流側に向けて通過する開口１１を設けると共に、該開口の上流側に端口方向に移動する巨大クラゲを誘導する入口閉じ網と該開口の下流方向に誘導する出口閉じ網を設けて巨大クラゲを下流側に移動させ、垣網に沿って上流側を移動する魚には垣網の下流側の景色を見えないようにして該開口から魚が逃げてしまわないように構成した垣網である。
【特許文献１】公開特許公報、特開２００９−１８３１６７号公報
【０００７】
潮流の速度が小さい場合は垣網を海中に固定することは容易である。しかし、垣網は潮流の流れが速い場所に敷設されるケースが多い。従って、潮流の速度が大きい場合には潮流による網の摩擦抵抗により垣網を海底に固定することが困難になる。そこで、海底の固定を緩くして（完全に固定しないで）潮流の速度が大きい場合には垣網の海底部分が浮き上がるようにして摩擦抵抗を少なくし、垣網の破壊等の事故を防止している。ところが、従来技術２の垣網では垣網と閉じ網の海底へのほぼ完全な固定を前提としているために破壊等の事故を防止できないという問題がある。
【発明の開示】
【発明が解決しようとする課題】
【０００８】
以上に説明したように、従来技術１では目合の大きさを巨大クラゲのサイズに合わせて変更する必要があり、また、囲網内に入網する巨大クラゲの数を実用的に十分な数に減らすことができないという問題点がある。従来技術２では潮流の速い海域では適用が困難であるという問題点がある。
【０００９】
本願発明はこのような状況下でなされたものであり、従来の垣網を比較的簡単な改良によってエチゼンクラゲ等の巨大クラゲの入網を排除し、魚を有効に捕獲すると共に潮流の流れ方向が変化しても有効に機能する定置網の垣網を提供することを課題としている。
【課題を解決するための手段】
【００１０】
本願発明は、上記課題を解決するために以下の構成を採用している。即ち、
請求項１に記載の発明は、潮流が流れている漁場に設置する定置網の垣網において、該垣網に沿って囲網の端口方向に向かって移動する巨大クラゲが該垣網の上流側から下流側に移動する開口を該垣網に設け、前記潮流の流速が所定値未満の場合は該開口を閉じ、該潮流の流速が所定値以上の場合に該開口を開いて巨大クラゲが上流側から下流側に移動可能な開通路を形成するように閉じ網を設けたことを特徴としている。
【００１１】
請求項２に記載の発明は、請求項１に記載の発明において、前記閉じ網は前記垣網の網部の該潮流に対する摩擦抵抗よりも大きな摩擦抵抗を生じる網部材で構成し、該潮流の流れによる該垣網の偏位よりも大きな偏位を生じ、該閉じ網と該垣網との間に前記開通路を形成するように構成したことを特徴としている。
【００１２】
請求項３に記載の発明は、請求項２に記載の発明において、前記閉じ網は該垣網の目合よりも小さな目合の網で構成したことを特徴とする請求項２に記載の定置網の垣網。
【００１３】
請求項４に記載の発明は、請求項１〜請求項２に記載の発明において、前記閉じ網は該垣網の網糸の摩擦係数よりも大きな摩擦係数の網糸で構成したことを特徴としている。
【００１４】
請求項５に記載の発明は、請求項２〜請求項４に記載の発明において、前記閉じ網は該垣網の網糸の太さよりも太い網糸で構成したことを特徴としている。
【００１５】
請求項６に記載の発明は、請求項１〜請求項５に記載の発明において、前記閉じ網の岸側縁部は前記垣網の岸側開口縁部に接続し、該閉じ網の上縁部を前記垣網の開口上縁部又は浮子綱に接続し、該閉じ網の沖側縁部は自由とし、該閉じ網の下縁部は沈子を設けて該潮流の速さが前記所定値未満の場合は前記開口を閉じ、該潮流の速さが前記所定値以上の場合は前記開通路を形成ようにしたことを特徴としている。
【００１６】
請求項７に記載の発明は、請求項１〜請求項６に記載の発明において、前記閉じ網の沖側縁部を前記垣網の開口沖側縁部と重複するように構成したことを特徴としている。
【００１７】
請求項８に記載の発明は、請求項１〜請求項７に記載の発明において、前記開通路の３次元形状を整形するための接続代を前記閉じ網の岸側縁部と前記垣網の岸側開口縁部の間に設けたことを特徴としている。
【００１８】
請求項９に記載の発明は、請求項１〜請求項８に記載の発明において、前記閉じ網と前記垣網との間に前記開通路の大きさを制限する制限手段を設けたことを特徴としている。
【発明の効果】
【００１９】
本願発明は、垣網の底部を固定せず、自由に移動できるように構成したので実施が容易となると共に、潮流の速さにより閉じ網を設けて潮流の速さにより巨大クラゲを通過させ、かつ、魚類を垣網に沿って囲網方向に移動させることができるという効果が得られる。
【発明を実施するための最良の形態】
【００２０】
＜本実施形態における仮定＞
本願の発明を明確にするために以下の仮定を設ける。図５（Ａ）に示すように、垣網５１は等深線５３となす角度αが１３０度〜１４０度の鈍角が適当であると言われている（非特許文献４）。また、平均的な巨大クラゲの遊泳力、例えば、平均的な巨大クラゲが１０分程度以上連続的に泳げる遊泳力をＸ（ノット）とする。遊泳力Ｘ（ノット）に比べて潮流の流れ速度が小さい場合は図５（Ｂ１）に示すように、巨大クラゲは垣網５１から離れてほぼ一様に分散して遊泳し、潮流の流れ速度が遊泳力Ｘノットに近づくにつれて図５（Ｂ２）に示すように垣網５１の近辺に密集して遊泳する。更に潮流の流れ速度が大きくなると図５（Ｂ３）に示すように、垣網５１にほぼ接触した状態で遊泳する。（Ｂ２）、（Ｂ３）の状態では図５（Ａ）に示すように、垣網５１が等深線５３となす角度αが１３０度〜１４０度の鈍角で敷設されるために巨大クラゲは垣網５１に接触しながら沿岸から沖方向に誘導され、端口５６に至る。従って（Ｂ１）の状態では巨大クラゲを垣網５１の下流側に移動させる必要はなく、魚類を垣網から下流側に逃がしてはいけない。（Ｂ２）及び（Ｂ３）の状態では巨大クラゲを下流側に逃がしてやる必要がある。この場合も魚類は垣網に沿って端口５６方向に誘導する必要がある。
【非特許文献４】最新漁業技術一般、野村正恒著、成山堂書店
【００２１】
垣網５１に関して、巨大クラゲの分布が図５（Ｂ１）〜（Ｂ３）のどれになるかは巨大クラゲの遊泳力と定置網を敷設する漁場の潮流の速さに依存する。しかし、定置網の好漁場が多くある日本列島の日本海沿岸の潮汐の変化は日本海上保安庁から公表されているが、潮流の速さについては公表されていない。個々の漁場における潮流の流れ方向、流れ速度は漁場の海域（場所）や季節、時間によって変化し、一律に定めることができない。従って、垣網の設計を行う前に実際に計測する必要がある。垣網５１に直交する方向の潮流の速度をＹ（ノット）とし、潮流の速度Ｙが平均的な巨大クラゲの遊泳力Ｘのβ倍以上になったときに、即ち、ＹがＹ≧β・Ｘのときに巨大クラゲを下流側に流出できる開通路を形成する垣網について以下に説明する。尚、速度（β・Ｘ）を臨界速度と呼び、βを臨海係数と呼ぶことにする。
【００２２】
＜本願発明の実施形態における共通事項＞
垣網５１に巨大クラゲを下流方向に移動させるための開口１０を設ける。開口１０の幅は巨大クラゲが移動できる開通路を形成できる幅（例えば、３ｍ〜５ｍ位）とし、縦長さは海面近くから巨大クラゲが遊泳している深さよりも少し深い水深（例えば、３５ｍ）とする。尚、正常な巨大クラゲの遊泳水深は０〜３０ｍの暖流表水層（水温が摂氏１５〜１７度以上）である（非特許文献２、１２０頁参照）。開口１０は間隔をおいて複数個設ける。間隔は巨大クラゲにより垣網５１が正常な機能を損なわない範囲内とする。例えば、平均間隔を５０ｍ〜１００ｍとして、その海域に回遊してくる巨大クラゲの最大数を目安にして平均間隔を決定する。巨大クラゲが集中する場所は間隔を狭くし、集中しない場所は間隔を広くする。また、開口１０には閉じ網１２を設ける。閉じ網１２と垣網との間の距離が潮流により自動的調整されるように構成する。これにより、開口１０の開き具合を調整し、巨大クラゲを垣網５１の下流方向に移動させると共に、垣網５１に沿って囲網方向に移動する魚類を下流方向に逃がさないようにして垣網自体の機能を発揮させるためである。
【００２３】
＜実施形態１＞
実施形態１は閉じ網が潮流の流れる向きにより垣網の左右両方向に移動し、開通路を形成するケースである。図１〜図３は本願発明の実施形態１の詳細な説明図を示す。図１は垣網５１の垂直方向の潮流の速度が小さな（臨界速度以下の）場合で、図２は垂直方向の潮流の速度が大きな場合で、図３は潮流の速度が大きさによって巨大クラゲを上流側から下流側に通過させる開通路５５の大きさの変化を説明した図である。
【００２４】
図１（Ａ）は正面図、図１（Ｂ）は上平面図を示す。図１に示すように実施形態１では垣網５１に開口１０に略同じ大きさの閉じ網１２を設け、閉じ網１２が開口１０を閉じるように設ける。閉じ網１２は潮流の摩擦抵抗を大きくするために垣網５１の目合よりも小さな目合の網を使用する。例えば、目合が半分の網を使用する。なお、潮流の摩擦抵抗を大きくする手段は他の手段であってもよい。例えば、網糸に特殊な加工処理を施して網糸の摩擦係数を大きくするとか、太い網糸を使用するとか、摩擦係数の大きな材質の網糸を使用する等であってもよい。
【００２５】
閉じ網１２の上側縁は開口１０の上縁部（又は浮子５３の浮子綱５３ａ）に接続する。閉じ網１２の岸側縁１２ａを垣網５１ａの岸側開口縁５２ａに接続する。なお、接続部分は閉じ網１２の岸側縁１２ａの全部であってもよいし、岸側縁１２ａの上側部分の一部であってもよい。岸側縁１２ａの上側部分の一部を接続した場合には潮流の摩擦抵抗による閉じ網１２の曲がる部分が大きくなるため開通路５５が大きく開き、魚類も逃げる機会が多くなる。魚類の逃げる機会を大きくしないで、開通路５５を広くするために、閉じ網１２の岸側縁部１２ａと垣網５１の岸側開口縁部５２ａとの間に接続代（しろ）を設けて接続してもよい。接続代を設けることにより、開通路５５の３次元形状を改良することができる。
【００２６】
一方、閉じ網１２の沖側縁１２ｂは垣網５１の沖側開口縁５２ｂと接続せず、自由な状態にしておく。また、ガイド綱１２の下縁部には適度の重さの沈子（重り）１４を取り付ける。沈子１４の重さは潮流の速さが所定値未満の場合は開口１０を閉じ、潮流の速さが所定値以上の場合は垣網５１と閉じ網１２との間に開通路５５を形成するように構成する。沈子１４は垣網５１の下側開口縁と絡まないようにする。例えば、沈子１４が垣網５１の下側開口縁と接触しないように閉じ網１２の長さを短くし、或いは、沈み子１４を突起部のない滑らかな紐状に構成する等である。
【００２７】
開通路５５の大きさは以下のようにして決定してもよい。平均的な巨大クラゲの遊泳能力（最大遊泳速度）を測定し、開通路５５の望ましい間隔をＤ＊とし、垣網を敷設する海域の潮流速度に対して巨大クラゲが図５（ｂ２）の状態になる潮流速度を（ｖ＊）して、巨大クラゲの遊泳能力を考慮して決定する。例えば、潮流速度ｖ＊を、巨大クラゲの遊泳能力の０．６倍の速度、即ち、β＝０．６としたときに開通路５５の間隔Ｄ＊を３．０ｍとなるように構成する。以上の関係を満たすように閉じ網１２の平均摩擦係数及び重り１４を求める。最後に実験で確認及び修正をする。
【００２８】
実施形態１における垣網５１に形成される開通路５５と潮流の向き、速度との関係は図４に示したように変化する。図４（Ａ）は潮流が図の左から右方向に流れ、かつ、潮流の流れの大きさＹが臨界速度を超えた場合を示す。この場合は垣網５１に接近した巨大クラゲは垣網５１の開通路５５を通過して下流側（右方向に）に流出される。図４（Ｂ）は潮流の速度Ｙが小さく、開通路５５は形成されない。この場合は通常の垣網と同様に魚類は端口方向に誘導される。図４（Ｃ）は反対方向から（図の右方向から左方向へ）潮流が流れる場合で潮流の速度Ｙが臨界速度を超えたときに開通路５５が形成される場合である。この場合は垣網５１に接近した巨大クラゲは垣網５１の下流側（左方向に）に移動することができる。
【００２９】
実施形態１は以上のように構成したので、潮流の流れが小さいときは図１（Ｂ）に示すように、垣網５１の沈子綱５４ａ、閉じ網１２の重り（沈子）１４は略一直線上にあり、垣網５１、閉じ網１２は略同一平面上にあり、閉じ網１２と垣網５１の間に巨大クラゲが移動できる大きな隙間（開通路５５）は形成されない。即ち、図３（Ａ）に示すように垣網５１の沖側開口縁５２ｂと閉じ網１２の沖側縁１２ｂの間に大きな隙間（開通路５５）は生じない。従って、本実施形態の垣網は通常の垣網と同様に機能し、魚が垣網５１の上流側から下流側に向けて逃げることはない。又、巨大クラゲは垣網５１から離れて、上流側に分布して遊泳しているだけなので、垣網５１に沿って端口５６方向に誘導される巨大クラゲもいない。
【００３０】
潮流の流れが大きくなると図２（Ａ）、（Ｂ）に示すように、垣網５１の底部（沈子綱の部分）は「吹かれ」によって下流側に移動する。閉じ網１２の岸側縁１２ａは垣網５１の岸側開口縁５２ａに接続されているので、下流側に移動する距離は垣網５１の岸側開口縁５２ａと同じである。しかし、閉じ網１２は摩擦抵抗の大きな網部材で構成されており、閉じ網１２の沖側縁１２ｂは垣網５１の沖側開口縁５２ｂと接続されていないので、沖側縁１２ｂは下流側に大きく移動し、閉じ網１２の沖側縁１２ｂと垣網５１の沖側開口縁５２ｂとの間に図３（Ｂ）又は図３（Ｃ）に示すような大きな隙間（巨大クラゲが通過できる開通路５５）が生じる。従って、図５（Ｂ２）、（Ｂ３）に示すように垣網５１に沿いながら端口５６方向に移動している巨大クラゲは開通路５５を通って垣網５１の下流側に開放される。
【００３１】
潮流の速度が大きい場合も魚類が開通路５５から下流側に逃げないようにする必要がある。このために垣網５１及び閉じ網１２は魚類に警戒心を惹起するようにして魚類が垣網５１にあまり接近しないようにする必要がある。例えば、実施形態１では閉じ網１２の目合を小さくしているが、更に垣網５１及び閉じ網１２に明色を施して、或いは、音の出るような加工等を施して魚類が垣網５１及び閉じ網１２に接近しすぎないようにすることが望ましい。しかし、一般的には潮流速度が大きい場合は垣網５１から海流による大きな摩擦音が発生し、魚類は垣網５１からより離れた距離で垣網５１に沿って泳ぐと考えられるので、特に問題はないと考えられる。
【００３２】
＜実施形態２＞
実施形態２は閉じ網２２を沖側に延長し、魚類が開通路５５を通過して下流側に逃げないように対策を施した実施形態である。このために実施形態２では、閉じ網２２の自由縁２２ｂを沖方向に延長して閉じ網２２と垣網５１とが重なるようにした。従って、この場合は潮流の流れ方向が変化して流れの向きが逆方向に変化した場合でも閉じ網２２の自由縁が垣網５１の開口縁５２ｂに阻止されて、逆方向に広がらないために開通路５５を形成することはできない。このため、実施形態２は、例えば、潮流が垣網５１の一方の側からしか流れない場合とか、満潮時には巨大クラゲが垣網５１に向かって回遊してくるが干潮時には巨大クラゲが回遊して来ない場合等の特別なケースの場合に有効である。なお、閉じ網２２の下側縁も垣網５１に重なるように延長してもよい。
【００３３】
図６〜図８は実施形態２の閉じ網２２の詳細を説明する図である。図６（Ａ）は実施形態２の正面図、図６（Ｂ）は上平面図を示す。図６において、閉じ網２２は垣網５１に設けられた開口１０を閉じると同時に一部が垣網５１と重複するように設ける。閉じ網２２は潮流の摩擦抵抗を大きくするために垣網５１の目合よりも小さな目合の網を使用する。実施形態１と同様に、閉じ網２２の岸側縁２２ａは垣網５１の岸側開口縁５２ａに接続しておき、沖側縁２２ｂは垣網５１の沖側開口縁５２と接続せず、自由な状態にしておく。また、閉じ網２２の上側縁は垣網５１の開口上側縁又は浮子綱５３ａに接続し、固定する。閉じ網２２の下側縁には沈子１４を取り付ける。
【００３４】
潮流の流れが大きいときは図７（Ａ）、（Ｂ）及び図８に示すように、垣網５１の底部（沈子綱５４ａの部分）は「吹かれ」によって下流側に移動する。閉じ網２２の岸側縁２２ａは垣網５１の岸側開口縁５２ａに接続されているので、下流側に移動する距離は垣網５１の岸側開口縁５２ａと同じである。しかし、閉じ網２２は摩擦抵抗の大きな網部材で構成されており、また、閉じ網２２の沖側縁２２ｂは垣網５１ｂの沖側開口縁５２ｂと接続されていない（自由な状態にある）ので、沖側縁２２ｂは下流側に大きく移動し、図７及び図８（Ｂ）、（Ｃ）に示すように閉じ網２２の沖側縁２２ｂと垣網５１の沖側開口縁５２ｂとの間に巨大クラゲの開通路５５が生じる。従って、図５（Ｂ２）、（Ｂ３）に示すように垣網５１に沿いながら端口５６方向に移動していた巨大クラゲは開通路５５から垣網５１の下流側に開放される。尚、開通路５５の自由端における距離を制限するために制限用ロープ６０を閉じ網２２と垣網５１の間に設けてもよい。
【００３５】
実施形態２の場合は図９（Ａ）〜図９（Ｃ）に示すように機能する。図９（Ａ）は潮流が図の左から右方向に流れ、かつ、流れの大きさＹが臨界速度を超えた場合を示す。この場合は垣網５１に接近した巨大クラゲは垣網５１の開通路５５を通過して下流側（右方向に）に流出される。図９（Ｂ）は潮流の速度が小さく、開通路５５は形成されない。この場合は通常の垣網と同様に魚類は端口５６方向に誘導される。図９（Ｃ）は反対方向から（図の右から左方向へ）潮流が流れる場合で潮流の速度Ｙは臨界速度を超えた場合である。この場合も開通路は形成されない。図９（Ａ）の場合は、巨大クラゲは開通路５５を通過して下流側（右方向）へ放出される。しかし、魚類は閉じ網２２が垣網５１と部分的に重複するために実施形態１に比べて下流側に逃げる割合が少なくなるという効果がある。図９（Ｂ）、（Ｃ）の場合は通常の垣網と同様に魚類は端口５６方向に誘導される。
【００３６】
実施形態２は以上のように構成したので、潮流が所定の向きに所定以上の速度で流れているときに巨大クラゲが垣網５１を通過して下流方向に放出することができる。潮流の流れが小さいとき、或いは潮流の流れ方向が逆方向の場合は図６（Ｂ）、図８（Ａ）及び図９（Ｂ）、（Ｃ）に示すように、閉じ網２２と垣網５１ｂの間に大きな開通路５５は生じない。従って、この場合は、魚類が垣網５１を通過して逃げることはないが、同時に巨大クラゲも移動できない。
【００３７】
＜実施形態３＞
実施形態３は実施形態２の問題点を解決し、閉じ網２２と同様な閉じ網２５ａ、２５ｂを垣網５１の左右両側に設けて、海流の向きが反対向きに変化しても開通路５５を形成するようにした場合である。即ち、図１０（Ａ）〜図１０（Ｃ）に示すように、垣網５１の一方の側に閉じ網２５ａを設け、反対側に閉じ網２５ｂを設けた場合である（開口の位置は異なる）。垣網５１の左方から右方へ臨界速度以上の潮流が流れている場合には閉じ網２５ａが開き、開通路５５が形成される。逆方向に臨界速度以上の潮流が流れている場合には閉じ網２５ｂが開き、開通路５５が形成される。従って、臨界速度以上の潮流が流れている場合には巨大クラゲは下流側に移動できる。臨界速度未満の潮流が流れている場合には半開又は閉じた状態になる。従って、実施形態３は実施形態２の特長と実施形態１の特長の両方を合わせ持つ。その代わり構成が少し複雑になる。尚、閉じ網２５ａと閉じ網２５ｂは交互に設ける必要はなく、潮流と巨大クラゲの回遊状態に応じてどちらかに比重をおいてもよい。
【００３８】
実施形態１〜実施形態３で述べてきたように、従来型の定置網（垣網）に簡単な改良を加えるだけでエチゼンクラゲのような巨大クラゲの定置網内部への入網を防止して、魚類を捕獲可能にできるという効果が得られる。
【図面の簡単な説明】
【００３９】
【図１】実施形態１の閉じ網の説明図（臨界速度未満の場合）
【図２】実施形態１の閉じ網の説明図（臨界速度以上の場合）
【図３】実施形態１の潮流の速度による開通路の大きさ変化説明図
【図４】実施形態１の潮流の流れ方向による垣網の変化説明図
【図５】潮流の速さによる巨大クラゲの分布図
【図６】実施形態２の閉じ網の説明図（臨界速度未満の場合）
【図７】実施形態２の閉じ網の説明図（臨界速度以上の場合）
【図８】実施形態２の潮流の速度による開通路の大きさ変化説明図
【図９】実施形態２の潮流の流れ方向による垣網の変化説明図
【図１０】実施形態３の潮流の流れ方向による垣網の変化説明図
【図１１】従来技術１の垣網の説明図
【図１２】従来技術２の垣網と閉じ網の説明図
【符号の説明】
【００４０】
１０                      開口
１２、２２                閉じ網
１４、２４                閉じ網の沈子
５１                      垣網
５２（５２ａ、５２ｂ）    垣網の開口縁（岸側、沖側）
５３（５３ａ）            垣網の浮子（浮子綱）
５４（５４ａ）            垣網の沈子（沈子綱）
５５                      巨大クラゲの開通路
５６                      端口
６０                      制限用ロープ
【図１】
2011115057.tif 000003
【図２】
2011115057.tif 000004
【図３】
2011115057.tif 000005
【図４】
2011115057.tif 000006
【図５】
2011115057.tif 000007
【図６】
2011115057.tif 000008
【図７】
2011115057.tif 000009
【図８】
2011115057.tif 000010
【図９】
2011115057.tif 000011
【図１０】
2011115057.tif 000012
【図１１】
2011115057.tif 000013
【図１２】
2011115057.tif 000014